(57)【要約】      （修正有）【課題】スプール軸の径方向のがたつきを抑制して摺動フィーリングの向上を図ることが出来るスピニングリールの提供。【解決手段】スピニングリールは、リール本体と、スプール軸４と、ピニオンギア７と、ブッシュ８と、軸受９と、を備える。スプール軸４は、リール本体に前後方向に移動可能に支持されている。ピニオンギア７は、筒状であり、スプール軸４が内部を貫通する。ブッシュ８は、リール本体に圧入により固定される。ブッシュ８は、スプール軸４を支持する支持部８ａ、及び支持部８ａの内径よりも大径の軸受収納部８ｂ、を有する。軸受９は、ブッシュ８の軸受収納部８ｂに装着され、ピニオンギア７を支持する。【選択図】図３
2020103063.tif 000002
【特許請求の範囲】
【請求項１】
釣り糸を前方に繰り出し可能なスピニングリールであって、
リール本体と、
前記リール本体に前後方向に移動可能に支持されたスプール軸と、
前記スプール軸が内部を貫通する筒状のピニオンギアと、
前記スプール軸を支持する支持部、及び前記支持部の内径よりも大径の軸受収納部、を有し、前記リール本体に圧入により固定されたブッシュと、
前記ブッシュの前記軸受収納部に装着され、前記ピニオンギアを支持する軸受と、
を備えた、
スピニングリール。
【請求項２】
前記軸受は、前記ブッシュの前記軸受収納部の内周部に接触する外輪、及び前記ピニオンギアの外周部に接触する内輪と、を有する、
請求項１に記載のスピニングリール。
【請求項３】
前記リール本体は、前記ブッシュが圧入される圧入孔を有し、
前記ブッシュは、外周部から径方向に突出する圧入リブを有する、
請求項１又は２に記載のスピニングリール。
【発明の詳細な説明】
【技術分野】
【０００１】
本発明は、釣り用リール、特に、釣り糸を前方に繰り出し可能なスピニングリールに関する。
【背景技術】
【０００２】
スピニングリールは、ハンドルの回転に応じてスプール軸がリール本体に対して前後方向に往復移動する。スプール軸は、後部がカラー部材（支持部材）を介してリール本体に支持されている。スプール軸が前後方向に往復移動するとき、スプール軸は、カラー部材に対して摺動する。カラー部材は、リール本体に配置された軸受によって支持されている。軸受は、リール本体に設けられた軸受収納部に配置され、ピニオンギアの後端を回転自在に支持している（特許文献１参照）。
【先行技術文献】
【特許文献】
【０００３】
【特許文献１】特許第３８９８１３６号公報
【発明の概要】
【発明が解決しようとする課題】
【０００４】
ここで、スプール軸がリール本体に対して前後方向に移動するときに、リール本体に対するスプール軸の径方向のがたつきが大きくなると、摺動フィーリングに悪影響を及ぼすことがある。例えば、特許文献１では、軸受収納部の内径、ピニオンギアの外径、カラー部材の内外径、及びスプール軸の外径、といった各部分の寸法がリール本体に対するスプール軸の径方向のがたつきに影響を与えるため、これら各部分の寸法精度を高くしなければ、リール本体に対するスプール軸の径方向のがたつきが大きくなり、摺動フィーリングに悪影響を及ぼすおそれがある。
【０００５】
本発明の課題は、リール本体に対するスプール軸の径方向のがたつきを抑制して摺動フィーリングの向上を図ることにある。
【課題を解決するための手段】
【０００６】
本発明の一側面に係るスピニングリールは、釣り糸を前方に繰り出し可能である。スピニングリールは、リール本体と、スプール軸と、ピニオンギアと、ブッシュと、軸受と、を備える。スプール軸は、リール本体に前後方向に移動可能に支持されている。ピニオンギアは、筒状であり、スプール軸が内部を貫通する。ブッシュは、リール本体に圧入により固定される。ブッシュは、スプール軸を支持する支持部、及び支持部の内径よりも大径の軸受収納部、を有する。軸受は、ブッシュの軸受収納部に装着され、ピニオンギアを支持する。
【０００７】
このスピニングリールでは、リール本体に圧入により固定されたブッシュの支持部によってスプール軸が支持される。この場合、リール本体に対するスプール軸の径方向のがたつきに影響を与える部分は、ブッシュの支持部の内径とスプール軸の外径であり、スプール軸の径方向のがたつきに影響を与える部分が少ない。これにより、リール本体に対するスプール軸の径方向のがたつきが抑制されるので、摺動フィーリングの向上を図ることができる。また、ピニオンギアを支持する軸受がブッシュの軸受収納部に装着されるので、例えばリール本体に軸受を直に装着した場合に比べて、ピニオンギアを軸受で精度よく支持することができる。
【０００８】
好ましくは、軸受は、ブッシュの軸受収納部の内周部に接触する外輪、及びピニオンギアの外周部に接触する内輪と、を有する。
【０００９】
好ましくは、リール本体は、ブッシュが圧入される圧入孔を有し、ブッシュは、外周部から径方向に突出する圧入リブを有する。この場合は、圧入リブを設けることで、圧入孔へのブッシュの圧入が容易になる。
【発明の効果】
【００１０】
本発明によれば、スプール軸の径方向のがたつきを抑制して摺動フィーリングの向上を図ることができる。
【図面の簡単な説明】
【００１１】
【図１】本発明の一実施形態が採用されたスピニングリールの側面図。
【図２】スピニングリールの断面図。
【図３】軸受収納部周辺の拡大断面図。
【図４】ブッシュの斜視図。
【発明を実施するための形態】
【００１２】
本発明の一実施形態が採用されたスピニングリール１００は、釣り糸を前方に繰り出し可能である。スピニングリール１００は、図１及び図２に示すように、リール本体２と、ハンドル３と、スプール軸４と、スプール５と、ロータ６と、ピニオンギア７と、ブッシュ８と、軸受９と、を備えている。
【００１３】
なお、以下の説明において、釣りを行うときに、釣り糸が繰り出される方向を前、その反対方向を後という。また、左右とは、スピニングリール１００を後方から見たときの左
右をいう。また、スプール軸４が延びる方向を軸方向という。スプール軸４と直交する方向を径方向という。また、スプール軸４の軸周りの方向を周方向という。なお、本実施形態における軸方向は、前後方向と一致している。
【００１４】
リール本体２は、図２に示すように、内部空間を有しており、内部空間には、周知のオシレーティング機構１２や、ロータ６が駆動される図示しない周知のロータ駆動機構の一部が収容されている。
【００１５】
リール本体２は、図３に拡大して示すように、ブッシュ８が圧入される圧入孔２ａを有している。圧入孔２ａは、筒状であり、リール本体２の内部空間内で径方向に延びて形成された壁部２ｂを軸方向に貫通して形成されている。圧入孔２ａの後部には、ブッシュ８を位置決めする位置決め突起２ｃが形成されている。位置決め突起２ｃは、圧入孔２ａの後部から径方向内側に向かって円環状に突出して形成されている。
【００１６】
ハンドル３は、図１に示すように、リール本体２に回転可能に支持されている。本実施形態では、ハンドル３は、リール本体２の左側に装着されている。なお、ハンドル３は、リール本体２の右側に装着することもできる。
【００１７】
スプール軸４は、前後方向に延び、リール本体２に前後方向に移動可能に支持されている。スプール軸４は、図１に示すように、前部がスプール５の内部に配置された軸受１４にカラー部材を介して支持され、中間部が後述するナット部材１８の内周部に配置された軸受１６にカラー部材を介して支持されている。また、スプール軸４は、図３に示すように、後部がブッシュ８の後述する支持部８ａに支持されている。スプール軸４は、ハンドル３の回転に応じて、オシレーティング機構１２によりリール本体２を前後方向に往復移動する。
【００１８】
スプール５は、外周に釣り糸が巻き付けられる部材である。スプール５は、スプール軸４の先端に螺合する図示しないナット部材によって、スプール軸４に装着されており、スプール軸４と一体的に移動する。すなわち、スプール５は、ハンドル３の回転に応じてスプール軸４とともにリール本体２に対して前後方向に往復移動する。
【００１９】
ロータ６は、リール本体２に対して回転可能であり、ハンドル３の回転に応じてスプール５に釣り糸を巻き付ける。ロータ６は、ピニオンギア７の先端に螺合するナット部材１８によってピニオンギア７に一体回転可能に連結されている。
【００２０】
ピニオンギア７は、中空筒状の部材であり、スプール軸４が内部を貫通している。ピニオンギア７とスプール軸４とは、径方向において僅かな隙間が設けられている。ピニオンギア７は、リール本体２に回転自在に支持されている。詳細には、ピニオンギア７は、中間部がリール本体２に配置された軸受２０によって支持されている。ピニオンギア７は、後端部が軸受９によって支持されている。ピニオンギア７には、ロータ駆動機構を介してハンドル３の回転が伝達される。ピニオンギア７にハンドル３の回転が伝達されると、ピニオンギア７とロータ６とがリール本体２に対して一体回転する。
【００２１】
ブッシュ８は、図３及び図４に示すように、円筒状であり、リール本体２の圧入孔２ａに圧入により固定される。ブッシュ８は、例えば合成樹脂、又はステンレス等の金属で形成されている。ブッシュ８は、支持部８ａと、軸受収納部８ｂと、接続部８ｃと、を有している。また、ブッシュ８は、好ましくは、１以上の圧入リブ８ｄをさらに有している。
【００２２】
支持部８ａは、スプール軸４を支持する。支持部８ａは、円筒状であり、内周面がスプール軸４の外周面に接触している。スプール軸４が前後方向に往復移動するとき、スプール軸４の外周面が支持部８ａの内周面に対して摺動する。支持部８ａは、径方向において、圧入孔２ａの一部と重なる。
【００２３】
軸受収納部８ｂは、円筒状であり、支持部８ａと一体的に形成されている。軸受収納部８ｂの外径は、支持部８ａの外径よりも大きい。軸受収納部８ｂの内径は、支持部８ａの内径よりも大きい。
【００２４】
接続部８ｃは、支持部８ａと軸受収納部８ｂとを接続する。接続部８ｃは、支持部８ａの前端部と軸受収納部８ｂの後端部とを接続するように、径方向に円環状に延びている。接続部８ｃは、図３に示すように、軸方向において、後部が圧入孔２ａの位置決め突起２ｃに接触する。これにより、ブッシュ８が軸方向において位置決めされている。
【００２５】
圧入リブ８ｄは、軸受収納部８ｂの外周部から径方向に突出するとともに、軸方向に延びている。圧入リブ８ｄは、本実施形態では、周方向に間隔を隔てて複数形成されている。
【００２６】
軸受９は、ブッシュ８の軸受収納部８ｂに装着されている。軸受９は、ピニオンギア７の後端を回転自在に支持している。軸受９は、外輪９ａと、内輪９ｂと、を有している。外輪９ａは、軸受収納部８ｂの内周部に接触している。外輪９ａは、軸方向において、接続部８ｃに接触している。内輪９ｂは、ピニオンギア７の外周部に接触している。なお、内輪９ｂと支持部８ａとの軸方向間には、隙間が設けられており、内輪９ｂが支持部８ａ及び接続部８ｃに接触しないように構成されている。
【００２７】
上記構成のスピニングリール１００では、リール本体２の圧入孔２ａに圧入して固定されたブッシュ８の支持部８ａによってスプール軸４が支持されているので、ブッシュ８の支持部８ａによってスプール軸４を精度よく支持することができる。すなわち、リール本体２に対するスプール軸４の径方向のがたつきに影響を与える部分は、ブッシュ８の支持部８ａの内径とスプール軸４の外径であり、スプール軸４の径方向のがたつきに影響を与える部分が少ない。これにより、リール本体に対するスプール軸４の径方向のがたつきが抑制されるので、スプール軸４が軸方向に往復移動するときの摺動フィーリングの向上を図ることができる。
【００２８】
また、ブッシュ８の軸受収納部８ｂを介して軸受９がリール本体２に支持されているので、例えば、リール本体２に軸受９を直に配置した場合と比べて、軸受９を精度よく支持することができる。これにより、軸受９によってピニオンギア７を精度よく支持することができる。
【００２９】
＜他の実施形態＞
以上、本発明の一実施形態について説明したが、本発明は上記実施形態に限定されるものではなく、発明の要旨を逸脱しない範囲で種々の変更が可能である。特に、本明細書に書かれた複数の実施形態及び変形例は必要に応じて任意に組合せ可能である。
【符号の説明】
【００３０】
２  リール本体
２ａ  圧入孔
４  スプール軸
７  ピニオンギア
８  ブッシュ
８ａ  支持部
８ｂ  軸受収納部
８ｄ  圧入リブ
９  軸受
９ａ  外輪
９ｂ  内輪
１００  スピニングリール
【図１】
2020103063.tif 000003
【図２】
2020103063.tif 000004
【図３】
2020103063.tif 000005
【図４】
2020103063.tif 000006